(57)【特許請求の範囲】
【請求項１】
直管型ランプを有し、矩形箱状の器具本体を有する複数個の照明器具を、一直線上に配設した照明装置であって、
前記器具本体の対向する側壁の下端部に内側へ突出する引っ掛け部を設けるとともに、一対の脚部と該脚部の上端を連結する天板とを有し該脚部の下端に向かって拡がる全体門型断面形状の連結具を、隣接する前記照明器具間の前記器具本体内部に装着して前記引っ掛け部により係止し、
前記一対の脚部の各々の下端部は内側へ弾性変形可能となっており、
前記一対の脚部の各々の外側面は光を反射しない黒等の暗色とし、前記一対の脚部の各々および前記天板の内面は光を反射する白等としたことを特徴とする照明装置。
【請求項２】
前記引っ掛け部の突出量が、前記連結具の前記脚部の下端部の厚さよりも大きいことを特徴とする請求項１記載の照明装置。
【請求項３】
前記器具本体の前記側壁の内面が、下端部に向かって外側へ傾斜していることを特徴とする請求項１または２記載の照明装置。
【請求項４】
前記器具本体内部に、前記連結具を係止する係止部を設けたことを特徴とする請求項１ないし請求項３のいずれかに記載の照明装置。
【発明の詳細な説明】
【技術分野】
【０００１】
本発明は、複数本の直管型ランプが一直線上に連続して配設される照明装置に関するものである。
【背景技術】
【０００２】
従来より、複数本の直管型ランプが一直線上に連続して配設される照明装置が知られている（例えば特許文献１参照）。
図７に示すように、特許文献１に記載の照明装置１００においては、直管型の蛍光ランプ１０１が取付けられた照明器具１０２が一直線上に連結されており、照明器具１０２の器具本体１０２ａの下面には、蛍光ランプ１０１との間に、下向きに開口した断面コ字状の天井バー１０３が設けられている。
【０００３】
この天井バー１０３の天板１０３ａの長手方向両端部には、器具本体１０２ａに取付けられているソケット１０５が挿入されるソケット用開口１０６が各々設けられている。また、天井バー１０３の内部には反射板（図示省略）が設けられており、ソケット用開口１０６から挿入されたソケット１０５は、反射板の切欠きを貫通して下方に突出する。従って、蛍光ランプ１０１は反射板の下側に装着されることになる。
【０００４】
隣接する照明器具１０２、１０２の間には、ランプ間カバー１０４が取付けられる。ランプ間カバー１０４は、水平板部１０４ａと、この水平板部１０４ａの両端から上方へ立設されている一対の端板部１０４ｂを有しており、端板部１０４ｂの上端には取付バネ１０４ｃが設けられている。
【０００５】
一方、隣接する照明器具１０２、１０２の天井バー１０３において、ソケット用開口１０６の端部寄りにはカバー用開口１０７が設けられており、取付バネ１０４ｃをカバー用開口１０７の内部に挿入することによりランプ間カバー１０４を取付ける。これにより、ランプ間カバー１０４の水平板部１０４ａが、隣接する照明器具１０２間の境目を覆うことになる。
【特許文献１】実開平７−１６３１５号公報（第１図）
【発明の開示】
【発明が解決しようとする課題】
【０００６】
しかしながら、前述した照明装置においては、ランプ間カバー１０４を取付ける際に、ランプ間カバー１０４の取付バネ１０４ｃを手でつまんで、天井バー１０３の天板１０３ａに設けられているカバー用開口１０７に挿入する際に、狭い作業スペースにおいて作業しなければならず、作業性が悪いという問題があった。また、ランプ間カバー１０４は、部品点数が多く、複雑な構成となっている。
【０００７】
本発明は、従来の問題を解決するためになされたもので、隣接する照明器具間を、簡易な構成の連結具を用いて、容易に覆うことができる照明装置を提供することを目的とする。
【課題を解決するための手段】
【０００８】
本発明の照明装置は、直管型ランプを有し、矩形箱状の器具本体を有する複数個の照明器具を、一直線上に配設した照明装置であって、前記器具本体の対向する側壁の下端部に内側へ突出する引っ掛け部を設けるとともに、一対の脚部と該脚部の上端を連結する天板とを有し該脚部の下端に向かって拡がる全体門型断面形状の連結具を、隣接する前記照明器具間の前記器具本体内部に装着して前記引っ掛け部により係止し、前記一対の脚部の各々の下端部は内側へ弾性変形可能となっており、前記一対の脚部の各々の外側面は光を反射しない黒等の暗色とし、前記一対の脚部の各々および前記天板の内面は光を反射する白等とした構成を有している。
【０００９】
この構成により、一対の脚部とこの脚部の上端を連結する天板とから全体門型断面形状の連結具を形成しておき、一直線上に隣接して配設された器具本体間の内部に連結具を装着するので、器具本体を隣接して配設した後に、簡易な構成の連結具を容易に装着することができ、隣接する照明器具の間を覆うことができる。このとき、連結具の脚部は下端に向かって外側へ拡がっているので、器具本体の対向する側壁の下端部に設けられている引っ掛け部により連結具の脚部の下端部を確実に係止することができ、脱落を防止することができる。
【００１０】
また、本発明の照明装置は、前記引っ掛け部の突出量が、前記連結具の前記脚部の下端部の厚さよりも大きい構成を有している。
【００１１】
この構成により、引っ掛け部の突出量が連結具の脚部の下端部の厚さよりも大きく、連結具の下端部は見えないので、外観を損なうのを防止することができる。
【００１２】
さらに、本発明の照明装置は、前記器具本体の前記側壁の内面が、下端部に向かって外側へ傾斜している構成を有している。
【００１３】
この構成により、器具本体の側壁の内面が、下端部に向かって外側へ傾斜しているので、連結具との接触面が大きくなり、固定しやすくなる。
【００１４】
さらに、本発明の照明装置は、前記器具本体内部に、前記連結具を係止する係止部を設けた構成を有している。
【００１５】
この構成により、連結具は装着後、器具本体の係止部により係止されるので、スライド移動を防止して、隣接する照明器具の間を確実に覆うことができる。
【発明の効果】
【００１６】
本発明は、一対の脚部とこの脚部の上端を連結する天板とから全体門型断面形状の連結具を形成しておき、一直線上に隣接して配設された器具本体間の内部に連結具を装着するので、器具本体を隣接して配設した後に、簡易な構成の連結具を容易に装着して隣接する照明器具の間を覆うことができる。このとき、連結具の脚部は下端に向かって外側へ拡がっているので、器具本体の対向する側壁の下端部に設けられている引っ掛け部により連結具の脚部の下端部を確実に係止することができ、脱落を防止することができるという効果を有する照明装置を提供することができるものである。
【発明を実施するための最良の形態】
【００１７】
以下、本発明の実施の形態の照明装置について、図面を用いて説明する。
図１は本発明の実施形態にかかる照明装置の斜視図、図２は照明器具の分解斜視図、図３（Ａ）は図２中III−III位置の断面図、図３（Ｂ）は図３（Ａ）中Ｂ−Ｂ位置の断面図、図４（Ａ）は図１中IV−IV位置における器具本体の断面図、図４（Ｂ）は図４（Ａ）中Ｂ部分の拡大図、図５（Ａ）は連結具の斜視図、図５（Ｂ）は図５（Ａ）中Ｂ方向から見た正面図、図５（Ｃ）は図５（Ａ）中Ｃ方向から見た側面図、図６は隣接する照明器具の連結部を示す断面図である。
【００１８】
図１および図６に示すように、照明装置１０は、内部に直管型ランプ２１を有する複数個（図１においては２個の場合を例示）の照明器具２０を、天井１１等の取付部において一直線上に配設したものであり、隣接する照明器具２０、２０間に連結具２２が設けられている。
【００１９】
図２〜図４に示すように、照明器具２０は、一対の対向する側壁２３ａ、２３ａと、側壁２３ａの途中高さ位置を連結する連結板２３ｂとを有し、断面Ｈ形状の器具本体２３を有している。器具本体２３は、連結板２３ｂに設けられている貫通穴２３ｅから、ネジ１３により天井１１に取付けることができる。
【００２０】
器具本体２３内部における連結板２３ｂの上側の上部空間２３ｃには、直管型ランプ２１の両端に設けられている端子２１ａを保持するとともに給電するソケット台２５や直管型ランプ２１の脱落を防止するための吊具２６等の部品が収納されており、天井１１からの電源線１２が引き込まれている。また、連結板２３ｂの下側の下部空間２３ｄには、直管型ランプ２１が収容されており、吊具２６により保持されている。
【００２１】
図４（Ａ）に示すように、器具本体２３の側壁２３ａの内面下端部には、下部空間２３ｄの内側へ突出する引っ掛け部２４（突出量Ｔ）が設けられており、隣接する照明器具２０、２０の境界部分には、内部空間２３ｄに連結具２２が取付けられ、引っ掛け部２４により係止されて脱落しないようになっている。
【００２２】
図５に示すように、連結具２２は、一対の脚部２２ａ、２２ａと、この脚部２２ａの上端を連結する天板２２ｂとを有しており、全体門型断面形状を呈している。脚部２２ａは下端に向かって拡がるように傾斜しており、脚部２２ａの下端部は内側へ弾性変形可能となっている。従って、器具本体２３の側壁２３ａの内面を、同様に下端部に向かって外側へ傾斜（図４（Ａ）中矢印方向）させることにより、側壁２３ａの内面と連結具２２との接触面が大きくなり、固定しやすくなる。
【００２３】
また、図４（Ｂ）に示すように、引っ掛け部２４の突出量Ｔを、連結具２２の脚部２２ａの下端部の厚さｔよりも大きくする。これにより、連結具２２の脚部２２ａの下端部を確実に係止することができるとともに、連結具２２の脚部２２ａの下端面が引っ掛け部２４から突出しないので、下方から見えず、外観を損なうのを防止することができる。
【００２４】
また、図５に示すように、連結具２２の天板２２ｂの一方の端部は、上方へ折り曲げられて係止部２２ｃが形成されている。一方、これに対応して、図３に示すように、器具本体２３におけるソケット台２５よりも端部側の連結板２３ｂには、係止部として角穴２８ｆが形成されており、連結具２２の係止部２２ｃが挿入可能となっている。なお、図３においては、角穴２３ｆを、前述したネジ１３の締結作業に用いる貫通穴２３ｅ（図２参照）としても使用する場合を示しており、貫通穴２３ｅを別途設ける場合には、角穴２３ｆを幅の狭いスリット状に形成することもできる。これにより、連結具２２は装着後、器具本体２３の角穴２３ｆにより係止されるので、スライド移動を防止して、隣接する照明器具２０、２０の間を確実に覆うことができる。
【００２５】
また、連結具２２の脚部２２ａの外側面は光を反射しない黒等の暗色とし、脚部２２ａおよび天板２２ｂの内面は光を反射する白等とするのが望ましい。これにより、連結具２２の外面と器具本体２３の側壁２３ａ内面との間の隙間Ｓ（図４（Ａ）参照）に入り込んできた光を連結具２２の外面の暗色によって吸収し、隣接する照明器具２０、２０の間の隙間から光が漏れるのを防止することができる。一方、連結具２２の内面は光を反射するので、照明器具２０の連結部に暗部が生じるのを防止することができ、均一な光を照射する照明装置１０とすることができる。
【００２６】
図６に示すように、照明装置１０を取付ける場合には、器具本体２３を一直線状に取付けておき、直管型ランプ２１をソケット台２５に取付ける。そして、隣接する器具本体２３、２３の連結部において、器具本体２３の下部空間２３ｄに下方から連結具２２を押し込む。このとき、連結具２２の脚部２２ａは、内側へ弾性変形するので、容易に連結具２２を挿入することができる。下部空間２３ｄに挿入された連結具２２は、脚部２２ａが弾性変形から復帰して拡がるので、器具本体２３の側壁２３ａの下端に設けられている引っ掛け部２４に係止される。なお、連結具２２の係止部２２ｃを、器具本体２３の連結板２３ｂに設けられている角穴２３ｆに挿入する。
【００２７】
以上、説明した照明装置１０によれば、一直線上に隣接して配設されている器具本体２３、２３の連結部に、簡易な構成の連結具２２を容易に装着して隣接する照明器具２０、２０の隙間を覆うことができる。このとき、連結具２２の脚部２２ａは下端に向かって外側へ拡がっているので、器具本体２２の対向する側壁２３ａの下端部に設けられている引っ掛け部２４により連結具２２の脚部２２ａの下端部を確実に係止することができ、脱落を防止することができる。
【００２８】
なお、本発明の照明装置は、前述した実施形態に限定されるものでなく、適宜な変形，改良等が可能である。
例えば、前述した実施形態においては、複数の照明器具２０を天井１１に一直線状に配設した場合を例示したが、その他、例えば壁に沿って上下方向に一直線状に配設することもできる。この場合には、連結具２２の係止部２２ｃが上方に位置するように取付けることにより、連結具２２の落下を防止することができる。
【００２９】
また、前述した実施形態においては、連結具２２を係止する係止部として器具本体２３の連結板２３ｂに角穴２３ｆを設けたが、この他、連結具２２を前後両側から挟んで移動を阻止する突起等を設けることもできる。
【図面の簡単な説明】
【００３０】
【図１】本発明の実施形態にかかる照明装置の斜視図
【図２】照明器具の分解斜視図
【図３】（Ａ）は図２中III−III位置の断面図、（Ｂ）は（Ａ）中Ｂ−Ｂ位置の断面図
【図４】（Ａ）は図１中IV−IV位置における器具本体の断面図、（Ｂ）は（Ａ）中Ｂ部分の拡大図
【図５】（Ａ）は連結具の斜視図、（Ｂ）は（Ａ）中Ｂ方向から見た正面図、（Ｃ）は（Ａ）中Ｃ方向から見た側面図
【図６】隣接する照明器具の連結部を示す断面図
【図７】従来の照明装置における連結部を示す分解斜視図
【符号の説明】
【００３１】
１０  照明装置
２０  照明器具
２１  直管型ランプ
２２  連結具
２２ａ  脚部
２２ｂ  天板
２３  器具本体
２３ａ  側壁
２３ｆ  角穴（係止部）
２４  引っ掛け部
Ｔ  引っ掛け部の突出量
ｔ  脚部の下端部の厚さ
【図１】
0005219257.tif 000002
【図２】
0005219257.tif 000003
【図３】
0005219257.tif 000004
【図４】
0005219257.tif 000005
【図５】
0005219257.tif 000006
【図６】
0005219257.tif 000007
【図７】
0005219257.tif 000008